(57)【要約】【課題】ジョブを実行する装置のステータスの表示を、従来よりも高い操作性を確保して行う。【解決手段】ジョブの設定の操作を行うためのキーバッチが配置されたジョブ指令用画面の表示中、このジョブを完了することができない不具合が既に発生しまたは発生する可能性がある場合、ステータス画面５３を次のように表示する。この不具合を回避するための設定に係る要表示キーバッチ６１Ｌと位置の全部分または一部分が重複するステータス通知ボックス６３ｂを、重複しないように変形する。そして、ステータス画面５３を表示する。【選択図】図１３
2014177024.tif 000002
【特許請求の範囲】
【請求項１】
特定のジョブを実行するためのジョブ処理装置であって、
前記特定のジョブに関する設定の操作を行うための１つまたは複数の第一のオブジェクトが配置された第一の画面をディスプレイに表示する第一の画面表示制御手段と、
当該ジョブ処理装置の状態を示す第二のオブジェクトが配置された第二の画面を、前記特定のジョブを完了することができない不具合が既に発生しまたは発生する可能性がある場合は、前記１つまたは複数の第一のオブジェクトのうちの当該不具合を回避するための設定に係る回避用オブジェクトを重ねかつ当該第二のオブジェクトが当該回避用オブジェクトに重ならないように当該第二のオブジェクトの位置または形状を変えて前記ディスプレイに表示する、第二の画面表示制御手段と、
を有することを特徴とするジョブ処理装置。
【請求項２】
前記特定のジョブは、ドキュメントの印刷を伴うジョブであり、
前記不具合の原因は、給紙トレイに格納される用紙の不足であり、
前記第二の画面表示制御手段は、前記回避用オブジェクトとして、前記印刷に使用する用紙を変更するためのオブジェクトまたは前記ドキュメントに含まれる複数のページの印刷先を１枚の用紙に変更するためのオブジェクトを重ねて、前記第二の画面を表示する、
請求項１に記載のジョブ処理装置。
【請求項３】
前記特定のジョブは、カラーのドキュメントの印刷を伴うジョブであり、
前記不具合の原因は、黒以外のいずれかの色の塗料の不足であり、
前記第二の画面表示制御手段は、前記回避用オブジェクトとして、前記ドキュメントをグレースケールで印刷するように設定するためのオブジェクトを重ねて、前記第二の画面を表示する、
請求項１に記載のジョブ処理装置。
【請求項４】
前記第二の画面表示制御手段は、前記第二のオブジェクトの中の文字列を分割して配置することによって、当該第二のオブジェクトが前記回避用オブジェクトに重ならないようにして前記第二の画面を表示する、
請求項１ないし請求項３のいずれかに記載のジョブ処理装置。
【請求項５】
前記第二の画面表示制御手段は、前記第二のオブジェクトを縮小することによって、当該第二のオブジェクトが前記回避用オブジェクトに重ならないようにして前記第二の画面を表示する、
請求項１ないし請求項３のいずれかに記載のジョブ処理装置。
【請求項６】
前記第二の画面表示制御手段は、前記ディスプレイの表示面の一方の端から他方の端へ前記第二の画面を徐々にスライドさせながら表示させ、前記回避用オブジェクトに重なる手前で前記第二の画面をスライドするのを停止する、
請求項１ないし請求項５のいずれかに記載のジョブ処理装置。
【請求項７】
前記第二の画面表示制御手段は、タッチパネルがフリックされた場合に、前前記第二の画面を徐々にスライドさせながら表示する、
請求項６に記載のジョブ処理装置。
【請求項８】
前記第二の画面表示制御手段は、前記手前で前記第二の画面をスライドするのを停止した後、タッチパネルがフリックされた場合に、前記第二の画面をスライドするのを再開する、
請求項７に記載のジョブ処理装置。
【請求項９】
特定のジョブのための画面をディスプレイに表示するジョブ用画面表示方法であって、
前記特定のジョブに関する設定の操作を行うための１つまたは複数の第一のオブジェクトが配置された第一の画面をディスプレイに表示し、
当該ジョブ処理装置の状態を示す第二のオブジェクトが配置された第二の画面を、前記特定のジョブを完了することができない不具合が既に発生しまたは発生する可能性がある場合は、前記１つまたは複数の第一のオブジェクトのうちの当該不具合を回避するための設定に係る回避用オブジェクトを重ねかつ当該第二のオブジェクトが当該回避用オブジェクトに重ならないように当該第二のオブジェクトの位置または形状を変えて前記ディスプレイに表示する、
ことを特徴とするジョブ用画面表示方法。
【請求項１０】
特定のジョブを実行するための装置に用いられるコンピュータプログラムであって、
前記装置に、
前記特定のジョブに関する設定の操作を行うための１つまたは複数の第一のオブジェクトが配置された第一の画面をディスプレイに表示する処理を実行させ、
当該ジョブ処理装置の状態を示す第二のオブジェクトが配置された第二の画面を、前記特定のジョブを完了することができない不具合が既に発生しまたは発生する可能性がある場合は、前記１つまたは複数の第一のオブジェクトのうちの当該不具合を回避するための設定に係る回避用オブジェクトを重ねかつ当該第二のオブジェクトが当該回避用オブジェクトに重ならないように当該第二のオブジェクトの位置または形状を変えて前記ディスプレイに表示する処理を実行させる、
ことを特徴とするコンピュータプログラム。
【発明の詳細な説明】
【技術分野】
【０００１】
本発明は、画像形成装置などの装置のステータスの表示に関する。
【背景技術】
【０００２】
近年、カラープリンタが普及している。カラープリンタは、一般に、シアン（Ｃ）、マゼンタ（Ｍ）、イエロー（Ｙ）、および黒（Ｋ）の４色の塗料（トナー、インクなど）で画像を用紙に印刷する。ユーザは、シアン、マゼンタ、またはイエローが不足している場合に黒のみを用いてグレースケールで画像を印刷させることができる。
【０００３】
また、近年、複数の給紙トレイを備えたプリンタおよび両面印刷が可能なプリンタが普及している。ユーザは、ある給紙トレイが空でありまたは用紙の残量が少ない場合に、他の給紙トレイの用紙を使用したり、印字面を片面から両面に変更したりして、対処することができる。
【０００４】
印刷に関するこれらの条件の設定は、プリンタに備わるタッチパネルディスプレイによって行うことができる。または、プリンタへの接続が可能なパーソナルコンピュータなどのクライアントによって行うことができる。
【０００５】
また、従来、消耗品が不足していることまたは実行待ちのジョブが溜まっていることなどが原因で、ユーザが望む通りにプリンタがジョブを実行できない場合またはその可能性がある場合に、プリンタのステータスを示す画面をタッチパネルディスプレイまたはクライアントに表示させることができる。
【０００６】
引用文献１には、デバイスを操作するためのボタンなどのオブジェクトがステータスまたはメッセージを示す画面に重なることによる視聴の妨害を解消するための方法が提案されている。この方法によると、画像表示領域を表示する際に、自動的に操作部に表示するオブジェクトを再配置する。
【０００７】
引用文献２には、一度により多くの情報をユーザに提示する方法が提案されている。この方法によると、処理を加えた出力画像状態のプレビュー表示のためのプレビュー領域を有する操作画面を表示し、この出力画像状態に影響する設定にかかわる第１種の操作が行われたときに、下地色が透過色とされた第１ポップアップウインドウをこのプレビュー領域に重ねて表示する。
【先行技術文献】
【特許文献】
【０００８】
【特許文献１】特開２００９−４９７０号公報
【特許文献２】特開２０１１−２５７８８７号公報
【発明の概要】
【発明が解決しようとする課題】
【０００９】
しかし、特許文献１に記載される方法によると、デバイスを操作するためのボタンが通常とは異なる位置に配置されるので、ユーザにとって、ボタンを見つけにくいことがある。また、特許文献２に記載される方法によると、下地色として透過色を用いて第１ポップアップウインドウをプレビュー領域に表示するので、第１ポップアップウインドウの位置を変えずに済むが、プレビュー領域の重なる部分の状態によっては、第１ポップアップウインドウが見にくいことがある。
【００１０】
本発明は、このような問題点に鑑み、ジョブを実行する装置のステータスの表示を、従来よりも高い操作性を確保して行うことを、目的とする。
【課題を解決するための手段】
【００１１】
本願発明の一形態に係るジョブ処理装置は、特定のジョブを実行するためのジョブ処理装置であって、前記特定のジョブに関する設定の操作を行うための１つまたは複数の第一のオブジェクトが配置された第一の画面をディスプレイに表示する第一の画面表示制御手段と、当該ジョブ処理装置の状態を示す第二のオブジェクトが配置された第二の画面を、前記特定のジョブを完了することができない不具合が既に発生しまたは発生する可能性がある場合は、前記１つまたは複数の第一のオブジェクトのうちの当該不具合を回避するための設定に係る回避用オブジェクトを重ねかつ当該第二のオブジェクトが当該回避用オブジェクトに重ならないように当該第二のオブジェクトの位置または形状を変えて前記ディスプレイに表示する、第二の画面表示制御手段と、を有する。
【００１２】
例えば、前記特定のジョブは、ドキュメントの印刷を伴うジョブであり、前記不具合の原因は、給紙トレイに格納される用紙の不足であり、前記第二の画面表示制御手段は、前記回避用オブジェクトとして、前記印刷に使用する用紙を変更するためのオブジェクトまたは前記ドキュメントに含まれる複数のページの印刷先を１枚の用紙に変更するためのオブジェクトを重ねて、前記第二の画面を表示する。
【００１３】
または、前記特定のジョブは、カラーのドキュメントの印刷を伴うジョブであり、前記不具合の原因は、黒以外のいずれかの色の塗料の不足であり、前記第二の画面表示制御手段は、前記回避用オブジェクトとして、前記ドキュメントをグレースケールで印刷するように設定するためのオブジェクトを重ねて、前記第二の画面を表示する。
【００１４】
または、前記第二の画面表示制御手段は、前記第二のオブジェクトの中の文字列を分割して配置することによって、当該第二のオブジェクトが前記回避用オブジェクトに重ならないようにして前記第二の画面を表示する。
【００１５】
または、前記第二の画面表示制御手段は、前記第二のオブジェクトを縮小することによって、当該第二のオブジェクトが前記回避用オブジェクトに重ならないようにして前記第二の画面を表示する。
【００１６】
または、前記第二の画面表示制御手段は、前記ディスプレイの表示面の一方の端から他方の端へ前記第二の画面を徐々にスライドさせながら表示させ、前記回避用オブジェクトに重なる手前で前記第二の画面をスライドするのを停止する。
【００１７】
または、前記第二の画面表示制御手段は、タッチパネルがフリックされた場合に、前前記第二の画面を徐々にスライドさせながら表示する。
【００１８】
または、前記第二の画面表示制御手段は、前記手前で前記第二の画面をスライドするのを停止した後、タッチパネルがフリックされた場合に、前記第二の画面をスライドするのを再開する。
【発明の効果】
【００１９】
本発明によると、ジョブを実行する装置のステータスの表示を、従来よりも高い操作性を確保して行うことができる。
【図面の簡単な説明】
【００２０】
【図１】イントラネットの全体的な構成の例を示す図である。
【図２】画像形成装置のハードウェア構成の例を示す図である。
【図３】ユーザインタフェースの例を示す図である。
【図４】画像形成装置の機能的構成の例を示す図である。
【図５】コピージョブ指令用画面の例を示す図である。
【図６】ボックスプリントジョブ指令用画面の例を示す図である。
【図７】設定変更用ダイアログの例を示す図である。
【図８】ステータス画面の例を示す図である。
【図９】キーバッチ表示要否テーブルの例を示す図である。
【図１０】キーバッチ表示要否テーブルの例を示す図である。
【図１１】カスタマイズ要否等判別処理の流れの例を説明するフローチャートである。
【図１２】ステータス画面と要表示キーバッチとの位置関係の例を示す図である。
【図１３】カスタマイズ後のステータス画面の例を示す図である。
【図１４】カスタマイズ後のステータス画面の例を示す図である。
【図１５】カスタマイズ後のステータス画面の例を示す図である。
【図１６】カスタマイズ後のステータス画面の例を示す図である。
【図１７】フリックの例を示す図である。
【図１８】ステータス画面の遷移の例を示す図である。
【図１９】ステータス画面の遷移の変形例を示す図である。
【図２０】画面の表示に関する全体的な処理の流れの例を説明するフローチャートである。
【発明を実施するための形態】
【００２１】
図１は、イントラネット４の全体的な構成の例を示す図である。図２は、画像形成装置１のハードウェア構成の例を示す図である。図３は、ユーザインタフェースの例を示す図である。図４は、画像形成装置１の機能的構成の例を示す図である。
【００２２】
図１に示すように、イントラネット４は、画像形成装置１、１台または複数台の端末装置２、および通信回線３などによって構成される。
【００２３】
画像形成装置１と各端末装置２とは、通信回線３を介して通信を行うことができる。通信回線３として、いわゆるＬＡＮ（Local Area Network）回線、公衆回線、専用線、またはインターネットなどが用いられる。
【００２４】
画像形成装置１は、コピー、ネットワークプリンティング、スキャン、ファックス、およびボックスなどの機能を集約した装置である。一般に、「複合機」または「ＭＦＰ（Multi Function Peripherals）」などと呼ばれることもある。
【００２５】
「ネットワークプリンティング機能」は、パーソナルコンピュータまたはスマートフォンなどから画像データを受信し、この画像データに基づいて画像を用紙に印刷する機能である。「ネットワークプリント」または「ＰＣプリント」と呼ばれることもある。
【００２６】
「ボックス機能」は、ユーザごとに「ボックス」または「パーソナルボックス」などと呼ばれる記憶領域を与えておき、各ユーザが自分の記憶領域によって画像データなどのデータを保存し管理するための機能である。ボックスは、パーソナルコンピュータにおける「フォルダ」または「ディレクトリ」に相当する。
【００２７】
画像形成装置１は、図２に示すように、ＣＰＵ（Central Processing Unit）１０ａ、ＲＡＭ（Random Access Memory）１０ｂ、ＲＯＭ（Read Only Memory）１０ｃ、大容量記憶装置１０ｄ、ＮＩＣ（Network Interface Card）１０ｅ、モデム１０ｆ、操作パネル１０ｇ、タッチパネルディスプレイ１０ｈ、スキャンユニット１０ｉ、プリントユニット１０ｊ、およびステープラ１０ｋなどによって構成される。
【００２８】
ＮＩＣ１０ｅは、ＴＣＰ／ＩＰ（Transmission Control Protocol/Internet Protocol）などのプロトコルによって端末装置２と通信を行うための装置である。
【００２９】
モデム１０ｆは、Ｇ３などのプロトコルでファックス端末と画像データをやり取りするための装置である。
【００３０】
操作パネル１０ｇおよびタッチパネルディスプレイ１０ｈは、ユーザインタフェースである。
【００３１】
操作パネル１０ｇは、図３に示すように、スタートボタン１０ｇ１、ストップボタン１０ｇ２、およびリセットボタン１０ｇ３のほか、ファンクションボタンであるコピーボタン１０ｇ４ａ、ファックスボタン１０ｇ４ｂ、スキャンボタン１０ｇ４ｃ、およびボックスボタン１０ｇ４ｄなど、種々の操作用のボタンによって構成される。これらのボタンは、いわゆるソフトウェアキーボードのキーではなく、ハードウェアタイプのボタン（キー）である。
【００３２】
タッチパネルディスプレイ１０ｈは、ユーザに対するメッセージを与えるための画面、処理の結果を示す画面、またはユーザが画像形成装置１に対して指示を入力するための画面などを表示する。また、タッチパネルディスプレイ１０ｈは、タッチされた位置を検知し、ＣＰＵ１０ａへその位置を通知する。
【００３３】
タッチパネルディスプレイ１０ｈのタッチパネルとして、静電容量方式、感圧方式、または赤外線方式などのタッチパネルが用いられる。
【００３４】
ユーザは、操作パネル１０ｇまたはタッチパネルディスプレイ１０ｈを操作することによって、画像形成装置１に対してコマンドを与えたりデータを入力したりすることができる。
【００３５】
図２に戻って、スキャンユニット１０ｉは、用紙に記されている文書、写真、絵、図表などの画像を読み取って画像データを生成する。
【００３６】
プリントユニット１０ｊは、電子写真方式の印刷装置であって、スキャンユニット１０ｉによって読み取られた画像のほか、端末装置２またはファックス端末などから送信されてきた画像データに示される画像を用紙に印刷する。
【００３７】
ステープラ１０ｋは、プリントユニット１０ｊによって画像が印刷された用紙（印刷物）をステープルで綴じる。
【００３８】
ＲＯＭ１０ｃまたは大容量記憶装置１０ｄには、図４に示すジョブ指令用画面表示処理部１０１、設定変更用画面表示処理部１０２、ジョブ実行制御部１０３、ステータス画面カスタマイズ部１０５、およびステータス画面表示処理部１０６などの機能を実現するためのソフトウェアが記憶されている。このソフトウェアを構成するモジュールは、必要に応じてＲＡＭ１０ｂにロードされ、ＣＰＵ１０ａによって実行される。
【００３９】
図５は、コピージョブ指令用画面５１Ａの例を示す図である。図６は、ボックスプリントジョブ指令用画面５１Ｄの例を示す図である。図７は、設定変更用ダイアログ５２Ｇの例を示す図である。図８は、ステータス画面５３の例を示す図である。図９は、キーバッチ表示要否テーブル７１Ａの例を示す図である。図１０は、キーバッチ表示要否テーブル７１Ｄの例を示す図である。図１１は、カスタマイズ要否等判別処理の流れの例を説明するフローチャートである。図１２は、ステータス画面５３と要表示キーバッチ６１Ｌとの位置関係の例を示す図である。図１３〜図１６は、カスタマイズ後のステータス画面５３の例を示す図である。
【００４０】
以下、図４に示すジョブ指令用画面表示処理部１０１ないしステータス画面表示処理部１０６の機能を説明する。
【００４１】
ジョブ指令用画面表示処理部１０１は、ユーザによる操作パネル１０ｇまたはタッチパネルディスプレイ１０ｈに対する操作に応じて、ジョブ指令用画面５１をタッチパネルディスプレイ１０ｈの全体に表示させる。
【００４２】
例えば、コピーボタン１０ｇ４ａ（図３参照）が押されると、ジョブ指令用画面表示処理部１０１は、図５のような、コピーのジョブの指令をユーザが入力するためのコピージョブ指令用画面５１Ａを表示させる。または、ボックスボタン１０ｇ４ｄが押されると、ジョブ指令用画面表示処理部１０１は、図６のような、ボックスに画像データが保存されている画像を印刷するジョブの指令をユーザが行うためのボックスプリントジョブ指令用画面５１Ｄを表示させる。以下、ボックスに画像データが保存されている画像を印刷することを「ボックスプリント」と記載する。
【００４３】
ジョブ指令用画面５１には、１つまたは複数のキーバッチ６１が配置されている。キーバッチ６１は、ボタンの画像であって、アイコンの一種である。コピージョブ指令用画面５１Ａのキーバッチ６１ａ〜６１ｇは、コピーの条件をユーザが設定するためのものである。キーバッチ６１ｊは、画像形成装置１のステータス（状況）をユーザが確認するためのものである。ボックスプリントジョブ指令用画面５１Ｄのキーバッチ６１ｐ〜６１ｙは、ボックスプリントの条件を設定するためのものである。キーバッチ６１ｋは、画像形成装置１のステータスをユーザが確認するためのものである。
【００４４】
特に、キーバッチ６１ｂ、６１ｔは、画像をフルカラー、グレースケール、および白黒のいずれで印刷するのかを設定するためのものである。キーバッチ６１ｃは、画像の印刷の濃度を設定するためのものである。キーバッチ６１ｄ、６１ｘは、画像を印刷するのに用いる用紙（印刷先の用紙）のサイズ、つまり、どの給紙トレイの用紙に印刷するのかを設定するためのものである。キーバッチ６１ｆは、印刷対象であるドキュメントを構成する各ページの、用紙への配置を設定するためのものである。つまり、片面印刷、両面印刷、またはＮｉｎ１印刷（集約印刷）を設定するためのものである。キーバッチ６１ｇ、６１ｖは、ステープル綴じを行うか否かを設定するためのものである。キーバッチ６１ｕは、下地の色、パターン、または汚れなどを除去するか否かを設定するためのものである。キーバッチ６１ｗは、片面印刷および両面印刷を切り換えるためのものである。キーバッチ６１ｙは、集約印刷を設定するためのものである。
【００４５】
また、コピージョブ指令用画面５１Ａのキーバッチ６１ａ〜６１ｇには、それぞれに対応する項目に現在設定されている内容が示されている。ボックスプリントジョブ指令用画面５１Ｄのキーバッチ６１ｐ〜６１ｙも、同様である。例えば、キーバッチ６１ｇは、コピーのジョブによって得られた印刷物に対するステープル綴じに関するものであるが、図５の例によると、ステープル綴じを行わないように設定されていることがキーバッチ６１ｇに示されている。
【００４６】
コピーのジョブの各項目の条件として、当初はそれぞれのデフォルト値が設定されているが、ユーザは、条件を適宜、次のように変更することができる。ユーザは、条件を変更したい項目のキーバッチ６１をタッチする。
【００４７】
すると、設定変更用画面表示処理部１０２は、タッチされたキーバッチ６１に対応する設定変更用ダイアログ５２をコピージョブ指令用画面５１Ａの上に表示させる。例えば、キーバッチ６１ｇがタッチされた場合は、図７のような、ステープル綴じの要否およびステープル綴じの位置を設定するための設定変更用ダイアログ５２Ｇを表示させる。または、キーバッチ６１ｂがタッチされた場合は、印刷の色をフルカラー、グレースケール、および白黒のいずれかに変えるための設定変更用ダイアログ５２を表示させる。または、キーバッチ６１ｆがタッチされた場合は、印刷面および集約印刷の設定のための設定変更用ダイアログ５２を表示させる。
【００４８】
ここで、ユーザは、操作パネル１０ｇまたはタッチパネルディスプレイ１０ｈを操作してその項目の条件を入力する。
【００４９】
他のジョブの各項目の条件についても、同様である。例えば、ボックスプリントのジョブのいずれかの項目の条件を変更したい場合は、ユーザは、ボックスプリントジョブ指令用画面５１Ｄの中から、その項目のキーバッチ６１をタッチすればよい。すると、設定変更用画面表示処理部１０２によって、タッチされたキーバッチ６１に対応する設定変更用ダイアログ５２がボックスプリントジョブ指令用画面５１Ｄの上に表示される。そして、ユーザは、操作パネル１０ｇまたはタッチパネルディスプレイ１０ｈを操作することによって、その項目の条件を入力すればよい。
【００５０】
ユーザは、必要に応じて条件を変更したら、スタートボタン１０ｇ１を押すことによって、ジョブの実行の開始を指令する。
【００５１】
すると、ジョブ実行制御部１０３は、ユーザによって適宜変更された各項目の条件に従ってジョブが実行されるように、各部を制御する。例えば、コピーのジョブの場合は、画像を原稿の用紙から読み取って白紙に印刷する処理が行われるように、スキャンユニット１０ｉおよびプリントユニット１０ｊなどを制御する。または、ボックスプリントのジョブの場合は、ボックスから画像データを読み出して画像を白紙に印刷する処理が行われるように、大容量記憶装置１０ｄおよびプリントユニット１０ｊなどを制御する。
【００５２】
ステータス画面表示処理部１０６は、図８のような、画像形成装置１のステータスを示すステータス通知ボックス６３が配置されたステータス画面５３を、タッチパネルディスプレイ１０ｈの全体に表示させる。
【００５３】
ステータス画面５３は、画像形成装置１のステータスに応じてステータス画面カスタマイズ部１０５によってカスタマイズされることがある。
【００５４】
ここで、ステータス画面カスタマイズ部１０５によるステータス画面５３のカスタマイズの仕組みについて、説明する。
【００５５】
ステータス画面カスタマイズ部１０５は、表示要否テーブル記憶部１５１、ステータスデータ取得部１５２、カスタマイズ要否判別部１５３、重複有無判別部１５４、およびキーバッチ配置部１５５によって構成される。
【００５６】
表示要否テーブル記憶部１５１は、画面ごとのキーバッチ表示要否テーブル７１を記憶している。キーバッチ表示要否テーブル７１には、その画面のキーバッチ６１のうちの設定に関するキーバッチ６１ごとの表示の要否をステータスごとに示している。
【００５７】
例えば、表示要否テーブル記憶部１５１は、コピージョブ指令用画面５１Ａのキーバッチ表示要否テーブル７１として、図９のようなキーバッチ表示要否テーブル７１Ａを記憶している。キーバッチ表示要否テーブル７１Ａは、キーバッチ６１ａ〜６１ｇそれぞれの表示の要否を、プリントユニット１０ｊのトナーの残量が閾値α１未満である状態（トナー残量閾値未満）、プリントユニット１０ｊの給紙トレイの中の用紙の残量が閾値α２未満である状態（用紙残量閾値未満）、モデム１０ｆによるファックス送信を待っているジョブの個数が閾値α３以上である状態（ファックス送信待ちジョブ数閾値以上）、およびステープラ１０ｋのステープルの残量が閾値α４未満である状態（ステープル残量閾値未満）ごとに示している。「○」は、表示が必要であることを示している。「×」は、表示が不要であることを示している。
【００５８】
なお、これらのステータスはいずれも、ユーザが注意すべきものであると、言える。そこで、以下、これらのステータスを「要注意ステータス」と総称する。
【００５９】
また、表示要否テーブル記憶部１５１は、ボックスプリントジョブ指令用画面５１Ｄのキーバッチ表示要否テーブル７１として、図１０のようなキーバッチ表示要否テーブル７１Ｄを記憶している。キーバッチ表示要否テーブル７１Ｄは、キーバッチ６１ｐ〜６１ｙそれぞれの表示の要否を、上に例示した要注意ステータスごとに示している。
【００６０】
ステータスデータ取得部１５２は、ユーザが所定の操作を行うと、ステータスデータ７３を取得する処理を行う。ステータスデータ７３には、画像形成装置１の現在のステータス、特に少なくとも、タッチパネルディスプレイ１０ｈに現在表示されている画面（以下、「カレント画面」と記載する。）のキーバッチ表示要否テーブル７１に示される項目についてのステータスが示されている。ステータスデータ取得部１５２は、ステータスデータ７３を、オペレーティングシステムから取得してもよいし、各ハードウェアのコントローラから取得してもよい。
【００６１】
カスタマイズ要否判別部１５３は、ステータス画面５３のカスタマイズの要否を判別する。重複有無判別部１５４は、カレント画面の上にステータス画面５３を重ね合わせた際にカレント画面の特定のキーバッチ６１とステータス画面５３のステータス通知ボックス６３とが重なるか否かを、判別する。これらは、例えば図１１に示す手順で判別される。
【００６２】
カスタマイズ要否判別部１５３は、ステータスデータ取得部１５２によって取得されたステータスデータ７３に示されるステータスのうちのいずれかが、カレント画面のキーバッチ表示要否テーブル７１に示される要注意ステータスのいずれかに該当するか否かをチェックする（図１１の＃７０１）。つまり、カレント画面に関連する要注意ステータスが現在生じているか否かをチェックする。
【００６３】
そして、要注意ステータスが生じていない場合は（＃７０２でＮｏ）、カスタマイズ要否判別部１５３は、ステータス画面５３をカスタマイズする必要がないと判別する（＃７０３）。
【００６４】
一方、要注意ステータスが生じている場合は（＃７０２でＹｅｓ）、カスタマイズ要否判別部１５３は、ステータス画面５３をカスタマイズする必要があると判別する（＃７０４）。そして、重複有無判別部１５４によって、次の処理が行われる。
【００６５】
重複有無判別部１５４は、カレント画面のキーバッチ表示要否テーブル７１の、現在生じている要注意ステータスの列に注目する。そして、その列に「○」が示されるキーバッチ６１、つまり、表示が必要であることが示されるキーバッチ６１の位置を特定する（＃７０５）。以下、このようなキーバッチを「要表示キーバッチ６１Ｌ」と記載する。要表示キーバッチの位置は、カレント画面の画像データに基づいて特定すればよい。さらに、ステータス画面５３のステータス通知ボックス６３の位置を特定する（＃７０６）。ステータス通知ボックス６３の位置は、ステータス画面５３の画像データに基づいて特定すればよい。
【００６６】
そして、重複有無判別部１５４は、要表示キーバッチ６１Ｌを、カレント画面における位置と同じ位置でステータス画面５３に重ねた際に、その一部分または全部分がいずれかのステータス通知ボックス６３の一部分または全部分と重なるか否かを、ステップ＃７０５、＃７０６で特定した位置に基づいて判別する（＃７０７）。
【００６７】
図４に戻って、キーバッチ配置部１５５は、カレント画面の要表示キーバッチ６１Ｌを次のようにステータス画面５３に配置することによって、ステータス画面５３をカスタマイズする。
【００６８】
要表示キーバッチ６１Ｌがステータス通知ボックス６３に重なると重複有無判別部１５４によって判別された場合は、キーバッチ配置部１５５は、ステータス通知ボックス６３の位置、サイズ、または形状を、要表示キーバッチ６１Ｌと重ならないように変更する。そして、要表示キーバッチ６１Ｌを、カレント画面における位置と同じ位置でステータス画面５３に重ねる。一方、両者が重ならないと判別された場合は、ステータス通知ボックス６３を調整することなく、要表示キーバッチ６１Ｌを、カレント画面における位置と同じ位置でステータス画面５３に重ねる。
【００６９】
ここで、カレント画面がボックスプリントジョブ指令用画面５１Ｄであり、３番目の給紙トレイの用紙が切れており４番目の給紙トレイの用紙が約１５枚であることがステータスデータ７３に示されており、かつ、閾値α２が２０枚である場合を例に、チェックの仕方を説明する。
【００７０】
ユーザがボックスプリントジョブ指令用画面５１Ｄのキーバッチ６１ｋをタッチすると、ステータスデータ取得部１５２は、ステータスデータ７３を取得する。
【００７１】
カスタマイズ要否判別部１５３は、ステータスデータ７３に基づいて、ボックスプリントジョブ指令用画面５１Ｄのキーバッチ表示要否テーブル７１すなわち７１Ｄ（図１０参照）に示される要注意ステータス（具体的には、用紙残量閾値未満）が発生していることを検知する。したがって、カスタマイズ要否判別部１５３は、ステータス画面５３のカスタマイズが必要であると、判別する。
【００７２】
キーバッチ表示要否テーブル７１Ｄによると、用紙残量閾値未満の要表示キーバッチ６１Ｌは、キーバッチ６１ｗ、６１ｘ、および６１ｙである。
【００７３】
そこで、重複有無判別部１５４は、キーバッチ６１ｗ、６１ｘ、および６１ｙを、ボックスプリントジョブ指令用画面５１Ｄにおける位置と同じ位置でステータス画面５３に重ねた際にステータス通知ボックス６３と重なるか否かを判別する。図１２に示すように、キーバッチ６１ｗ、６１ｘ、および６１ｙとステータス通知ボックス６３とが重なる。よって、重複有無判別部１５４は、重なると判別する。
【００７４】
キーバッチ配置部１５５は、ステータス通知ボックス６３を、キーバッチ６１ｗ、６１ｘ、および６１ｙと重ならないように、位置、サイズ、または形状を調整する。そして、キーバッチ６１ｗ、６１ｘ、および６１ｙを、ボックスプリントジョブ指令用画面５１Ｄにおける位置と同じ位置で、調整後のステータス画面５３に配置する。
【００７５】
例えば、図１３に示すように、ステータス通知ボックス６３ｂの中の文字列を１行から２行に変更しステータス通知ボックス６３ｂの形状を整え、ステータス通知ボックス６３ｃおよび６３ｄの位置を変更し、キーバッチ６１ｗ、６１ｘ、および６１ｙを配置する。または、図１４に示すように、ステータス通知ボックス６３ｂおよび６３ｃの幅を縮小しステータス通知ボックス６３ｂの文字のフォントを縮小し、キーバッチ６１ｗ、６１ｘ、および６１ｙを配置する。
【００７６】
または、カレント画面がコピージョブ指令用画面５１Ａであり他の条件が上述の通りである場合においてキーバッチ６１ｊがタッチされたら、ステータス画面カスタマイズ部１０５は、図１５のように、ステータス通知ボックス６３ｄの幅を縮小し、キーバッチ６１ｄおよび６１ｆを配置する。または、要表示キーバッチ６１Ｌの位置を変えてもよい。例えば、図１６のように、ステータス通知ボックス６３ｄの幅を縮小して位置を変え、キーバッチ６１ｆをコピージョブ指令用画面５１Ａにおける位置とは異なる位置に配置してもよい。
【００７７】
図４に戻って、ステータス画面表示処理部１０６は、上述の通り、ステータス画面５３をタッチパネルディスプレイ１０ｈに表示させる。ただし、ステータス画面カスタマイズ部１０５によってカスタマイズされた場合は、カスタマイズされたステータス画面５３を表示させる。
【００７８】
図１７は、フリックの例を示す図である。図１８は、ステータス画面５３の遷移の例を示す図である。図１９は、ステータス画面５３の遷移の変形例を示す図である。
【００７９】
上の例では、ステータス画面カスタマイズ部１０５およびステータス画面表示処理部１０６は、キーバッチ６１ｋまたは６１ｊがタッチされた場合に、いわゆるアニメーション効果を使うことなくステータス画面５３を表示させたが、スライドさせながら徐々にステータス画面５３を表示させてもよい。
【００８０】
ステータス画面カスタマイズ部１０５の表示要否テーブル記憶部１５１ないし重複有無判別部１５４の役割は、上述の通りである。以下、アニメーション効果を使うことなくステータス画面５３を表示させる場合と異なる点を中心に説明する。
【００８１】
ステータスデータ取得部１５２は、図１７（Ａ）のようにユーザがタッチパネルディスプレイ１０ｈの表示面の上端をタッチし下端の方向へフリックした際に、ステータスデータ７３を取得する。
【００８２】
カスタマイズ要否判別部１５３は、上述の通り、ステータス画面５３のカスタマイズの要否を判別する。重複有無判別部１５４は、上述の通り、要表示キーバッチ６１Ｌとステータス通知ボックス６３とが重なるか否かを判別する。
【００８３】
ステータス画面表示処理部１０６は、ユーザがフリックするのに合わせて、図１８（Ａ）〜（Ｃ）の順に示すように、ステータス画面５３を下端から徐々に、ジョブ指令用画面５１に重ねながら表示させる。なお、ジョブ指令用画面５１とステータス画面５３との区別の容易のために、ステータス画面５３の周を太線で示す。図１７（Ｂ）においても、同様である。
【００８４】
ただし、要表示キーバッチ６１Ｌとステータス通知ボックス６３とが重なると重複有無判別部１５４によって判別され、かつ、要表示キーバッチ６１Ｌがジョブ指令用画面５１の下端に配置されている場合は、ステータス画面表示処理部１０６は、要表示キーバッチ６１Ｌに重なる手前でスライドを一旦、停止させる。つまり、図１８（Ｂ）に示す状態で停止させる。
【００８５】
そして、停止後、図１７（Ｂ）に示すようにユーザがステータス画面５３の任意の場所をタッチパネルディスプレイ１０ｈの下端の方向へフリックしたら、ステータス画面表示処理部１０６は、ステータス画面５３のスライドを再開させ、図１８（Ｃ）のように残りの部分をも表示させる。
【００８６】
なお、フリックによるステータス画面５３の表示の場合は、図１８（Ｃ）に示すようにジョブ指令用画面５１の要表示キーバッチ６１Ｌを隠したが、図１５または図１６に示したように、ステータス通知ボックス６３の形態を適宜変更し、要表示キーバッチ６１Ｌを表示させてもよい。
【００８７】
また、ステータス画面５３がスライドしている途中に左右の要表示キーバッチ６１Ｌと重なる場合は、図１９（Ａ）〜（Ｃ）の順に示すように、ステータス通知ボックス６３の位置などを変更しながら、要表示キーバッチ６１Ｌを表示させてもよい。
【００８８】
図２０は、画面の表示に関する全体的な処理の流れの例を説明するフローチャートである。
【００８９】
次に、画像形成装置１におけるステータス画面５３の表示に関する全体的な処理の流れを、図２０のフローチャートを参照しながら説明する。
【００９０】
画像形成装置１は、ジョブ指令用画面５１などの画面を表示している際に、ユーザがステータス画面５３を表示するための操作を受け付けると（図２０の＃１１）、その操作に応じて次のようにステータス画面５３を表示する。
【００９１】
その操作がタッチパネルディスプレイ１０ｈの表示面の上端をタッチし下端へフリックする操作である場合は（＃１２でＹｅｓ、＃１３でＮｏ）、画像形成装置１は、現在表示している画面の下端に要表示キーバッチ６１Ｌがあるか否かを判別する（＃１４）。そして、要表示キーバッチ６１Ｌがあれば（＃１５でＹｅｓ）、図１８（Ａ）および（Ｂ）に示したように、ステータス画面５３をスライドさせながらカレント画面に重ねて徐々に表示し、要表示キーバッチ６１Ｌの上端の手前でスライドを停止する（＃１６）。要表示キーバッチ６１Ｌがなければ（＃１５でＮｏ）、スライドさせながらステータス画面５３の全部分を表示させる（＃１７）
または、途中でスライドが止まっている状態でユーザがステータス画面５３の任意の場所をタッチし下端へフリックした場合は（＃１２でＹｅｓ、＃１３でＹｅｓ）、画像形成装置１は、図１８（Ｂ）および（Ｃ）に示したように、ステータス画面５３のスライドを再開し、ステータス画面５３の全部分を表示する（＃１８）。
【００９２】
なお、ステータス画面５３のサイズがタッチパネルディスプレイ１０ｈの表示面よりも小さければ、スライドが止まっている状態であってもステータス画面５３の全部分が既に表示されている場合がある。このような場合は、スライドを再開しなくてもよい。
【００９３】
または、ユーザがステータス画面５３に対応するボタン（例えば、図５のキーバッチ６１ｊまたは図６のキーバッチ６１ｋ）をタッチした場合は（＃１２でＮｏ）、画像形成装置１は、図１１で説明した手順でステータス画面５３のカスタマイズの要否などを判別する（＃１９）。そして、判別結果に応じてステータス画面５３をカスタマイズして表示する（＃２０〜＃２２）。
【００９４】
なお、画像形成装置１は、ステータス画面５３の中から要表示キーバッチ６１Ｌがタッチされたら、図７のような設定変更用ダイアログ５２を表示するなどして、設定の変更の内容をユーザから受け付ける。タッチするごとに設定値（例えば、ステープル綴じの「オン」および「オフ」。濃度の「薄い」、「普通」、および「濃い」。印刷面の「片面」および「両面」。用紙の供給元の給紙トレイの「給紙トレイ＿１」、「給紙トレイ＿２」、…、「給紙トレイ＿４」など）を順に変更できる要表示キーバッチ６１Ｌの場合は、タッチを検知するごとに、設定の変更の内容を受け付ける。
【００９５】
そして、画像形成装置１は、スタートボタン１０ｇ１（図３参照）が押されたら、ユーザによって適宜変更された設定の内容に基づいてジョブを実行する。
【００９６】
本実施形態によると、要表示キーバッチ６１Ｌを元の位置のまま重ねてステータス画面５３を表示する。この際に、ステータス通知ボックス６３を、位置を変えまたはサイズを小さくするなどして排他する。よって、画像形成装置１のステータスを、従来よりも高い操作性を確保して表示することができる。
【００９７】
本実施形態では、画像形成装置１は、ステータス画面５３をタッチパネルディスプレイ１０ｈの表示面の上端から下端へスライドさせながら表示したが、下端から上端へスライドさせながら表示してもよい。または、左端から右端へスライドさせながら表示してもよいし、右端から左端へスライドさせながら表示してもよい。
【００９８】
画像形成装置１は、ステータス画面５３を確認するようにユーザに対して促すように、トナーまたは用紙が所定の量を下回ったら、ジョブ指令用画面５１の上端にアイコンを表示してもよい。例えば、「！」のアイコンを表示してもよい。そして、アイコンをユーザがフリックしたら、ステータス画面５３をスライドさせながら表示してもよい。
【００９９】
フリックの代わりにドラッグが行われた場合にも、画像形成装置１は、ステータス画面５３をスライドさせながら表示してもよい。
【０１００】
本実施形態では、プリントユニット１０ｊとして電子写真方式の印刷装置を用いたが、インクジェット方式など他の方式の印刷装置を用いてもよい。この場合は、画像形成装置１は、トナーに関するステータスの代わりにインクに関するステータスを検知し、それに基づいてステータス画面５３を表示するための上述の処理を実行する。
【０１０１】
本実施形態では、印刷を伴うジョブを取り扱う場合を例に説明したが、他の種類のジョブを取り扱う場合にも、本発明を適用することができる。
【０１０２】
例えば、画像形成装置１は、ジョブ指令用画面５１として、画像データを他の装置へファックスで送信するジョブのための画面を表示している際に、ユーザによってフリックが行われると、実行待ちの他のファックスジョブの量（例えば、個数）を検知する。そして、検知した量が所定の量を超える場合は、画像データの送信方法をファックスから他の方法（例えば、電子メール）に変えるためのキーバッチ６１を要表示キーバッチ６１Ｌとして、ステータス画面５３を表示する。
【０１０３】
本実施形態では、ジョブ指令用画面５１、設定変更用ダイアログ５２、およびステータス画面５３をタッチパネルディスプレイ１０ｈに表示する場合を例に説明したが、通信回線３を介して画像形成装置１を遠隔操作しているユーザの端末装置２のディスプレイに表示してもよい。
【０１０４】
その他、イントラネット４、画像形成装置１の全体または各部の構成、処理内容、処理順序、データベースの構成などは、本発明の趣旨に沿って適宜変更することができる。
【符号の説明】
【０１０５】
１  画像形成装置（ジョブ処理装置）
１０ｈ  タッチパネルディスプレイ
１０１  ジョブ指令用画面表示処理部（第一の画面表示制御手段）
１０５  ステータス画面カスタマイズ部（第二の画面表示制御手段）
１０６  ステータス画面表示処理部（第二の画面表示制御手段）
５１  ジョブ指令用画面（第一の画面）
５３  ステータス画面（第二の画面
６１  キーバッチ（第一のオブジェクト）
６１Ｌ  要表示キーバッチ（回避用オブジェクト
６３  ステータス通知ボックス（第二のオブジェクト）
【図１】
2014177024.tif 000003
【図２】
2014177024.tif 000004
【図３】
2014177024.tif 000005
【図４】
2014177024.tif 000006
【図５】
2014177024.tif 000007
【図６】
2014177024.tif 000008
【図７】
2014177024.tif 000009
【図８】
2014177024.tif 000010
【図９】
2014177024.tif 000011
【図１０】
2014177024.tif 000012
【図１１】
2014177024.tif 000013
【図１２】
2014177024.tif 000014
【図１３】
2014177024.tif 000015
【図１４】
2014177024.tif 000016
【図１５】
2014177024.tif 000017
【図１６】
2014177024.tif 000018
【図１７】
2014177024.tif 000019
【図１８】
2014177024.tif 000020
【図１９】
2014177024.tif 000021
【図２０】
2014177024.tif 000022